(57)【特許請求の範囲】
【請求項１】
外部と情報の授受が可能なＩＣチップ、アンテナを有するＩＣユニットが設けられたＩＣカードに画像を形成し、このＩＣカードを冊子の所定位置に貼り付けたＩＣ冊子、または、外部と情報の授受が可能なＩＣチップ、アンテナを有するＩＣユニットが設けられたＩＣカードを冊子の所定位置に貼り付け、このＩＣカードに画像を形成したＩＣ冊子であって、
前記ＩＣカードのＩＣユニットの一部を露出し、
前記露出した部分を前記冊子に接着したことを特徴とするＩＣ冊子。
【発明の詳細な説明】
【０００１】
【発明の属する技術分野】
この発明は、例えば、パスポート、預金通帳、社員証、学生証等の個人の身分を証明するに用いられるいわゆるＩＣ冊子に関する。
【０００２】
【従来の技術】
パスポート、預金通帳、社員証や学生証等の個人の身分を証明するいわゆるＩＣ冊子は、従来から用いられている。このＩＣ冊子には外部と情報の授受が可能なＩＣチップ、アンテナを有するＩＣユニットが設けられるものがあり、例えば本人の住所、所属、個人コードＮо等本人の確認を行なうため、種々の個人情報がＩＣチップに記憶されている。
【０００３】
【発明が解決しようとする課題】
このようなＩＣチップを冊子に貼り付けたり、縫いこんだりしていたが、ＩＣチップを冊子に貼り付ける場合、ＩＣチップは壊れ易く、またＩＣチップは正常でも冊子に貼り付ける段階の作業で壊れる場合があり、ハンドリング、貼り付け方法の難しさがあり、特にチップ製造メーカーと冊子への貼り付けメーカーが異なる場合に品質保証が難しい。
【０００４】
この発明はかかる点に鑑みなされたもので、冊子とＩＣカードそれぞれ独立した品質保証ができ、しかも冊子に貼り付けたＩＣカードを貼り替えたことが容易に確認でき、偽造や変造をより一層有効に防止することが可能なＩＣ冊子を提供することを目的としている。
【０００５】
【課題を解決するための手段】
前記課題を解決し、かつ目的を達成するために、この発明は、以下のように構成した。
【０００６】
請求項１記載の発明は、
『外部と情報の授受が可能なＩＣチップ、アンテナを有するＩＣユニットが設けられたＩＣカードに画像を形成し、このＩＣカードを冊子の所定位置に貼り付けたＩＣ冊子、または、外部と情報の授受が可能なＩＣチップ、アンテナを有するＩＣユニットが設けられたＩＣカードを冊子の所定位置に貼り付け、このＩＣカードに画像を形成したＩＣ冊子であって、
前記ＩＣカードのＩＣユニットの一部を露出し、
前記露出した部分を前記冊子に接着したことを特徴とするＩＣ冊子。』である。
【０００７】
この請求項１記載の発明によれば、冊子とＩＣカードそれぞれ独立した品質保証ができる。また、ＩＣカードにＩＣユニットの一部を露出し、この露出した部分を冊子に接着したから、冊子に貼り付けたＩＣカードを貼り替えるとＩＣユニットが冊子側に残り、あるいは破損されるため、偽造や変造をより一層有効に防止することが可能である。
【００２２】
【発明の実施の形態】
以下、この発明のＩＣ冊子を図面に基づいて詳細に説明する。
【００２３】
図１はＩＣユニットを有するＩＣ冊子を示す図である。ＩＣ冊子１は、パスポート、預金通帳、社員証、学生証等の個人の身分を証明するに用いられ、表紙２と、裏表紙３と、この表紙２と裏表紙３の間には複数の頁４が設けられている。裏表紙３には、ＩＣカードＣＡが貼り付けられている。この実施の形態では、ＩＣカードＣＡを裏表紙３に設けられているが、表紙２に設けても、また複数の頁４の１つに設けても良い。
【００２４】
ＩＣカードＣＡには、非接触で外部と電波により情報の授受が可能なＩＣチップ５ａ、アンテナ５ｂを有するＩＣユニット５が設けられている。ＩＣカードＣＡには、個人の顔写真１０のような画像情報と同時に、氏名、住所、所属等の個人に関する情報あるいは社名、学校名、発行日等の共通の事項１１が文字情報として記録されている。
【００２５】
ＩＣ冊子１では、ＩＣチップ５ａ、アンテナ５ｂを有するＩＣユニット５が設けられたＩＣカードＣＡに画像を形成し、このＩＣカードＣＡを冊子の所定位置に貼り付けてもよく、またＩＣカードＣＡを冊子の所定位置に貼り付け、このＩＣカードＣＡに画像を形成してもよく、いずれの場合も冊子とＩＣカードそれぞれ独立した品質保証ができる。また、ＩＣカードＣＡの貼り替え防止のために、ＩＣカードＣＡが冊子に融着、接着、粘着等の手段で貼り付けて設けられている。
【００２６】
また、ＩＣ冊子１は、ＩＣカードＣＡの貼り替えを検出する検出手段を有し、冊子に貼り付けたＩＣカードＣＡを貼り替えたことが容易に確認でき、偽造や変造をより一層有効に防止することが可能である。
【００２７】
以下、ＩＣカードＣＡの貼り替えを検出する検出手段の実施の形態を説明する。
【００２８】
図２はＩＣユニットが冊子側に残り、あるいは破損される実施の形態を示す図である。図２（ａ）の実施の形態では、ＩＣカードＣＡにＩＣユニット５の一部を露出して設け、この露出部分５ｃを冊子のある頁４の凹部４ａに接着してＩＣカードＣＡを冊子に設ける。このＩＣカードＣＡに画像を形成し、ラミネートシール２０で覆う。ＩＣカードと冊子を同じ大きさとしてもよい。
【００２９】
このようにＩＣカードＣＡにＩＣユニット５の一部を露出し、この露出部分５ｃを冊子に接着したから、冊子に貼り付けたＩＣカードＣＡを貼り替えるとＩＣユニット５が冊子側に残り、あるいは破損されるため、偽造や変造をより一層有効に防止することが可能である。
【００３０】
図２（ｂ）の実施の形態では、ＩＣカードＣＡにＩＣユニット５の一部を薄いシート２１で覆い、このシート２１で覆った部分を冊子のある頁４の凹部４ａに接着してＩＣカードＣＡを冊子に設ける。このＩＣカードＣＡに画像を形成し、ラミネートシール２０で覆う。ＩＣカードと冊子を同じ大きさとしてもよい。
【００３１】
このようにＩＣカードＣＡにＩＣユニット５の一部をシート２１で覆い、このシート２１で覆った部分を冊子に接着したから、冊子に貼り付けたＩＣカードＣＡを貼り替えるとＩＣユニット５が冊子側に残り、あるいは破損されるため、偽造や変造をより一層有効に防止することが可能である。
【００３２】
図３はホログラムシールが破壊される実施の形態を示す図である。この実施の形態では、ＩＣカードＣＡの一部の上と、冊子に亘ってホログラムシール２２を貼り付けている。したがって、ＩＣカードＣＡを貼り替えると、ホログラムシール２２が破れるために、冊子に貼り付けたＩＣカードＣＡを貼り替えたことが容易に確認でき、偽造や変造をより一層有効に防止することが可能である。
【００３３】
図４はホログラムシートが破壊される実施の形態を示す図である。この実施の形態では、ＩＣカードＣＡの上に、ＩＣカード全体を覆うホログラムシート２３を冊子に亘って貼り付けている。したがって、ＩＣカードＣＡを貼り替えると、ホログラムシート２３が破れるために、冊子に貼り付けたＩＣカードＣＡを貼り替えたことが容易に確認でき、偽造や変造をより一層有効に防止することが可能である。
【００３４】
図５は識別標識が異なる実施の形態を示す図である。この実施の形態では、ＩＣカードＣＡと、冊子に対応づけられた一組の識別標識３０を付している。一組の識別標識３０は、ＩＣカードＣＡと冊子に同じ番号又は、互いに関連付けされた番号、記号（発行後にわかるような対照表のようなものがあれば良い）を押印して設けることができる。また、冊子には、印、又は孔明け、印刷、バーコード等のコード化されたデータでも良い。ＩＣカードＣＡには印、焼印、彫刻、又はＩＣカードＣＡのＩＣユニット５に書き込むことができる。また、冊子のシリアル番号をＩＣカードＣＡに記録しても良い。
【００３５】
したがって、ＩＣカードＣＡを貼り替えると、一組の識別標識３０が異なるようになるために、冊子に貼り付けたＩＣカードＣＡを貼り替えたことが容易に確認でき、偽造や変造をより一層有効に防止することが可能である。
【００３６】
図６は連続模様が破壊される実施の形態を示す図である。この実施の形態では、ＩＣカードＣＡと、冊子に連続模様２４を付している。この場合は冊子とＩＣカードＣＡに連続模様２４を印刷し、また連続模様２４を印刷した破れ易い紙で覆っておくと良い。
【００３７】
したがって、ＩＣカードＣＡを貼り替えると、連続模様が異なり、あるいは模様がなくなるために、冊子に貼り付けたＩＣカードＣＡを貼り替えたことが容易に確認でき、偽造や変造をより一層有効に防止することが可能である。
【００３８】
【発明の効果】
前記したように、請求項１記載の発明では、冊子とＩＣカードそれぞれ独立した品質保証ができる。また、ＩＣカードにＩＣユニットの一部を露出し、この露出した部分を冊子に接着したから、冊子に貼り付けたＩＣカードを貼り替えるとＩＣユニットが冊子側に残り、あるいは破損されるため、偽造や変造をより一層有効に防止することが可能である。
【図面の簡単な説明】
【図１】ＩＣユニットを有するＩＣ冊子を示す図である。
【図２】ＩＣユニットが冊子側に残り、あるいは破損される実施の形態を示す図である。
【図３】ホログラムシールが破壊される実施の形態を示す図である。
【図４】ホログラムシートが破壊される実施の形態を示す図である。
【図５】識別標識が異なる実施の形態を示す図である。
【図６】連続模様が破壊される実施の形態を示す図である。
【符号の説明】
１  ＩＣ冊子
２  表紙
３  裏表紙
４  頁
５  ＩＣユニット
５ａ  ＩＣチップ
５ｂ  アンテナ
ＣＡ  ＩＣカード
【図１】
0004311506.tif 000002
【図２】
0004311506.tif 000003
【図３】
0004311506.tif 000004
【図４】
0004311506.tif 000005
【図５】
0004311506.tif 000006
【図６】
0004311506.tif 000007